(57)【要約】【課題】  複数の放送チャンネルのＥＰＧデータから取得した最新の天気予報データをユーザー所望の日時と地域に対応させて表示し、かつ表示される天気予報データが更新されたデータであることをユーザーに報知することのできるディジタル放送受信装置の提供を目的とする。  【解決手段】  画像表示手段と、ユーザー所望の日時 ／地域条件を設定する手段と、当該設定された日時／地域条件にしたがって、複数の放送チャンネルのＥＰＧデータから天気予報データを取得する手段と、当該取得された天気予報データを蓄積する手段と、当該蓄積された天気予報データを更新する手段とからなり、当該画像表示手段によって、天気予報データが更新されたことを知らせることができるようにしたディジタル放送受信装置を提供する。【選択図】  図１
2008167156.tif 000002
【特許請求の範囲】
【請求項１】
複数の放送チャンネルのＥＰＧデータを受信するディジタル放送受信装置であって、
天気予報データの表示ができる画像表示手段と、
ユーザー所望の日時と地域に対応した天気予報データを当該画像表示手段に表示するための日時条件と地域条件を設定する天気予報データ条件設定手段と、
当該天気予報データ条件設定手段によって設定された条件にしたがって、複数の放送チャンネルのＥＰＧデータから天気予報データを取得する天気予報データ取得手段と、
当該天気予報データ取得手段により取得された天気予報データを蓄積する天気予報データ蓄積手段と、
当該天気予報データ蓄積手段によって蓄積された天気予報データを更新する天気予報データ更新手段と、からなり、
当該画像表示手段によって、天気予報データが更新されたことを知らせることができるようにしたディジタル放送受信装置。
【請求項２】
当該天気予報データ更新手段により更新された複数の放送チャンネルのＥＰＧデータから取得した天気予報データについて、優先的に表示する天気予報データの内容を設定できる優先天気設定手段をさらに含み、当該優先天気設定手段により設定した天気予報データの内容に対応する天気予報データを、複数の放送チャンネルのＥＰＧデータから優先的に表示するようにした請求項１に記載のディジタル放送受信装置。
【請求項３】
当該天気予報データ条件設定手段は、複数のユーザー各人ごとに条件の設定を行なうことができる請求項１または２に記載のディジタル放送受信装置。
【発明の詳細な説明】
【技術分野】
【０００１】
本発明は、ディジタル放送受信装置に関し、特に複数の放送チャンネルのＥＰＧデータから取得した最新の天気予報データをユーザー所望の日時と地域に対応させて表示するようにしたディジタル放送受信装置に関する。
【背景技術】
【０００２】
旅行などの外出を伴うスケジュールがある場合に、その日時と地域に対応する天気予報データをユーザーに報知させることができれば、ユーザーは当該天気予報データを参考にして自らのスケジュールに必要な行動を事前に準備することができて、便利である。この目的を達成するために、例えば特許文献１では、ユーザーが指定した日時と地域に対応する天気予報データを画像表示によりユーザーに報知する装置が開示されている。しかし、特許文献１の報知装置では、ユーザーが当該天気予報データを入手しようと思い立った都度、ユーザー端末を用いて所望日時と所望地域を入力しなければならない。従って、実際の旅行予定日に先立つ数日間において、繰返し何回も天気予報データを入手しなければならない場合は、その都度、所望日時と所望地域について同じ入力操作が要求されるという不都合がある。
【０００３】
上記の問題に対処するため、例えば特許文献２では、所望日時と所望地域を一度設定しておけば、所定期間ごとに最新の天気予報データに変更して自動的に表示するようにした装置が開示されている。これにより、所望日時と所望地域について同じ入力操作が要求されるという特許文献１の問題点は克服することができる。
【０００４】
【特許文献１】特開２００２−３４２５０２号公報
【特許文献２】特開平０９−１２８４４１号公報
【０００５】
ユーザーが入手可能な天気予報データの提供源は、気象庁をはじめ民間の気象会社、ＷＥＢ上の気象データベース、テレビやラジオの天気予報など、さまざまなものがある。テレビの天気予報に限っても、テレビ放送局ごとにそれぞれ工夫を凝らした天気予報データを提供しており、同一日時の同一地域に関する最新の天気予報データであっても、テレビ放送局ごとに異なっている場合がある。前記の特許文献１や特許文献２の装置では、天気予報データの提供源をいずれか１つに限定してしまうので、ユーザーにとって有用である可能性を有していた天気予報データが最初からカットされてしまうという不都合の発生する余地が残されている。また特許文献２の装置は最新の天気予報データを表示するようになっているが、天気予報データが最新のものに更新されたかどうかをユーザーに報知する手段が備わっていないので、現在表示されている天気予報データは最新のものであるとしても、前回表示された天気予報データとの異同が明確でないという不都合が存在する。
【０００６】
また、前記の特許文献１や特許文献２の装置は、ユーザーが１名の場合にしか対応できないので、例えば家族３人のそれぞれ異なるスケジュールに応じてそれぞれの天気予報データを表示することができないという不都合も存在する。  
【発明の開示】
【発明が解決しようとする課題】
【０００７】
そこで、本発明は、複数の放送チャンネルのＥＰＧデータから取得した最新の天気予報データをユーザー所望の日時と地域に対応させて表示するようにしたディジタル放送受信装置であって、かつ表示される天気予報データが更新されたデータであることをユーザーに報知することのできるディジタル放送受信装置を提供することを目的とする。また本発明は、上記ディジタル放送受信装置において、ユーザー所望の日時と地域に対応した、複数の放送チャンネルのＥＰＧデータから取得した最新の天気予報データの内容が相互に異なる場合に、ユーザーが設定する優先条件に基づいて天気予報データを表示することのできるディジタル放送受信装置を提供することを目的とする。さらに本発明は、複数のユーザーのそれぞれ異なるスケジュールに応じてそれぞれの天気予報データを表示することのできるディジタル放送受信装置を提供することを目的とする。
【課題を解決するための手段】
【０００８】
本発明のディジタル放送受信装置は、天気予報データの表示ができる画像表示手段と、ユーザー所望の日時と地域に対応した天気予報データを当該画像表示手段に表示するための日時条件と地域条件を設定する天気予報データ条件設定手段と、当該天気予報データ条件設定手段によって設定された条件にしたがって、複数の放送チャンネルのＥＰＧデータから天気予報データを取得する天気予報データ取得手段と、当該天気予報データ取得手段により取得された天気予報データを蓄積する天気予報データ蓄積手段と、当該天気予報データ蓄積手段によって蓄積された天気予報データを更新する天気予報データ更新手段と、からなり、当該画像表示手段によって、天気予報データが更新されたことを知らせることができるようにしたことを特徴とする。
【０００９】
また本発明のディジタル放送受信装置は、上記ディジタル放送受信装置において、当該天気予報データ更新手段により更新された複数の放送チャンネルのＥＰＧデータから取得した天気予報データについて、優先的に表示する天気予報データの内容を設定できる優先天気設定手段をさらに含み、当該優先天気設定手段により設定した天気予報データの内容に対応する天気予報データを、複数の放送チャンネルのＥＰＧデータから優先的に表示するようにしたことを特徴とする。
【００１０】
さらに本発明のディジタル放送受信装置は、上記ディジタル放送受信装置において、当該天気予報データ条件設定手段は、複数のユーザー各人ごとに条件の設定を行なうことができるようにしたことを特徴とする。
【発明の効果】
【００１１】
本発明のディジタル放送受信装置は、複数の天気予報データの提供源を１つに限定することがないので、ユーザーにとって有用な可能性を有する天気予報データのすべてを反映した天気予報データをユーザーに報知することができる。また本発明のディジタル放送受信装置は、表示される天気予報データが最新のものに更新されたデータであるかどうかをユーザーに報知する手段を備えているので、ユーザーに対して、前回表示された天気予報データとの異同を明確にすることができる。さらに本発明のディジタル放送受信装置によれば、複数ユーザーのそれぞれ異なるスケジュールに応じて、それぞれの天気予報データを表示することができる。  
【発明を実施するための最良の形態】
【００１２】
本発明による具体的な実施形態を、以下、図を参照して説明する。図１は、本発明のディジタル放送受信装置１の構成を示すブロック図である。本発明のディジタル放送受信装置１は、チューナー１０、映像表示処理部２０、マイコン３０、天気予報データ条件設定部４０、メモリ５０、天気予報データ表示処理部６０、表示部７０、リモコン８０、リモコン受光部９０、キー判断部１００、および動作処理部１１０とから構成される。
【００１３】
ディジタル放送波はアンテナ（図示せず）を介してディジタル放送受信装置１に受信され、映像信号がチューナー１０から映像表示処理部２０に送られると、当該映像表示処理部２０において映像信号から抽出されたＥＰＧデータがマイコン３０に送られる。マイコン３０は、後述する天気予報データ条件設定部４０が設定した条件に従って、前記ＥＰＧデータのなかから所定の天気予報データを取得する。取得された当該天気予報データはメモリ５０に蓄積される。さらにマイコン３０は、後述する天気予報データ条件設定部４０が設定した条件に従って、所定の天気予報データを新たに取得した場合は、先に取得した天気予報データを新たに取得した天気予報データに更新する。当該更新された天気予報データはメモリ５０において、先に取得した天気予報データを上書きして蓄積される。天気予報データ表示処理部６０は、マイコン３０からの指示に従って、メモリ５０に蓄積された天気予報データを映像表示処理部２０に送信する。映像表示処理部２０は受信した当該天気予報データを表示部７０に送信することにより、当該天気予報データが表示部７０の画面上に表示される。
【００１４】
ユーザーは、当該ディジタル放送受信装置１に所望の天気予報データを表示させるために、後述のメニュー画面２００において、リモコン８０のキー操作を行うことにより、お天気アイコン、日時／地域、優先天気など後述する各種条件を設定する。リモコン８０のキー操作による信号は、リモコン受光部９０、キー判断部１００、動作処理部１１０、マイコン３０を経て、天気予報データ条件設定部４０において、ユーザー所望の条件として設定される。
【００１５】
以上のように構成されたディジタル放送受信装置１において、以下、図２乃至５を参照して、本発明によるディジタル放送受信装置１の動作説明に必要なお天気アイコン、日時、地域、優先天気などの各種条件を設定する方法について、説明する。図２は、ユーザー所望の天気予報データを表示させるための各種条件を、ユーザーに設定させるためのメニュー画面２００である。本実施例のメニュー画面２００では、お天気アイコン、日時／地域の２項目について、ユーザーが設定できるようになっている。なお、本実施例の説明においては、ユーザーが所望の地域を指定しない場合は、自宅付近の天気予報データが取得されるようにデフォルト設定されているものとする。また、複数の放送チャンネルのＥＰＧデータから取得した最新の天気予報データの内容が相互に異なる場合、例えば放送チャンネルが５局あって、ユーザーが指定した特定の地域について、そのうち４局の天気予報データが「雨」で、１局だけが「雪」であるような場合は、複数の異なる天気予報データのなかで多数を占める天気予報データ、この場合は「雨」を天気予報データとして取得するようにデフォルト設定されているものとして、以下の説明を進めることにする。
【００１６】
このメニュー画面２００において、ユーザーがリモコン８０を操作して、「お天気アイコン設定」を選択すると、図３に示すお天気アイコン設定画面２１０に切替わる。お天気アイコンとして、太陽のマーク２１１と星のマーク２１２と三日月のマーク２１３がデフォルトで設定されているものとする。太陽のマーク２１１は図１に示すリモコン８０のＸキー８１に対応し、星のマーク２１２は同じくＹキー８２に対応し、三日月のマーク２１３は同じくＺキー８３に対応しているものとする。このお天気アイコン設定画面２１０において、ユーザーがリモコン８０のキーを操作して、太陽のマーク２１１を自分のお天気アイコンとして決定すると、リモコン８０のＸキー８１は、自分のお天気アイコンに対応する後述の詳細天気予報データを表示させるための固有のダイレクトキーとして設定される。このお天気アイコンの設定は、本発明によるディジタル放送受信装置１を購入した時点で、先に済ませておくことが望ましい。なお、ここでは、夫が太陽のマーク２１１を選択し、妻が星のマーク２１２を選択し、長男が三日月のマーク２１３を選択したものとして、以下の説明を続ける。
【００１７】
次に、図２の天気予報データ条件設定メニューに戻って、ユーザーがリモコン８０を操作して、「日時／地域設定」を選択すると、先ず、図４に示す日時設定画面２２０に切替わる。本実施例においては、日時設定の方法として、日付指定と曜日指定のいずれかを選択できるようになっている。なお、日付指定、曜日指定のいずれを選択する場合でも、本実施例の説明では、テレビ放送局のＥＰＧデータによる天気予報データは、常に向こう１週間分が提供されているものとして説明する。
【００１８】
夫は出張のため、今週の水曜日に大阪、木曜日に名古屋、金曜日に東京に行くスケジュールがあるものとする。夫は、先ず図３のお天気アイコン設定画面２１０で夫固有のお天気アイコンである太陽のマーク２１１を選択することにより、いま操作しているユーザーが夫であることを設定する。次に、図４の日時設定画面２２０の曜日指定欄で、リモコン８０のキー操作により、「水」、「木」、「金」を指定する。さらに夫は、水曜日の大阪、木曜日の名古屋、金曜日の東京という地域設定が必要なので、地域設定について「する」を選択すると、図５に示す地域設定画面２３０に画面が切替わる。この地域設定画面２３０では、先の画面で設定した設定日時の全期間について、同一地域の天気予報データを取得すればよいのか、それとも設定日ごとに異なる地域の天気予報データを取得する必要があるかと、問われるので、夫は設定日ごとに異なる地域を設定する設欄で、リモコン８０のキー操作により、１２月１３日（水）には「大阪」、１２月１４日（木）には「名古屋」、１２月１５日（金）は「東京」を入力して、設定日のそれぞれに対応する地域を設定する。さらに、優先天気を設定するかと問われるが、このケースでは夫は特に優先天気を設定する必要がないので、「設定しない」を指定して、日時／地域条件の設定を終了する。
【００１９】
一方、妻は１２月１５日（金）に自宅付近の劇場に友人と観劇にいく約束があるので、服装計画を立てるためにその日の天気予報データを知りたいと思っている。妻は、先ず図３のお天気アイコン設定画面２１０で妻固有のお天気アイコンである星のマーク２１２を選択することにより、いま操作しているユーザーが妻であることを設定する。次に、図４の日時設定画面２２０の日付指定欄で、リモコン８０のキー操作により、１２月１５日と入力するか、あるいは曜日指定欄で「金」を指定する。妻は自宅付近の天気予報データが分かればよい。地域設定を「しない」と選択すると、自宅付近の天気予報データが取得されるようにデフォルト設定されているので、地域設定について、妻は「しない」を選択する。さらに、優先天気を設定するかと問われるが、このケースでは妻は特に優先天気を設定する必要がないので、「設定しない」を指定して、日時／地域条件の設定を終了する。
【００２０】
さらに、長男は今週の月曜から金曜まで、札幌にスキーに行く予定であるので、その間の天気予報データを知りたいと思っている。長男は、先ず図３のお天気アイコン設定画面２１０で長男固有のお天気アイコンである三日月のマーク２１３を選択することにより、いま操作しているユーザーが長男であることを設定する。次に、図４の日時設定画面２２０の曜日指定欄で、リモコン８０のキー操作により、「月」、「火」、「水」、「木」、「金」を指定し、さらに地域設定について「する」を選択すると、図５に示す地域設定画面２３０に画面が切替わる。この地域設定画面２３０では、先の画面で設定した設定日時の全期間について、同一地域の天気予報データを取得すればよいのか、それとも設定日ごとに異なる地域の天気予報データを取得する必要があるかと、問われるので、長男は全期間を同一地域として設定する設欄で、リモコン８０のキー操作により、「札幌」を入力して、地域設定を終了する。
【００２１】
以上の説明では、日時設定画面２２０における日時設定の方法として、日付指定と曜日指定の２種類により説明したが、その他にも簡便な設定方法として、所望日時を「明日」として指定する方法などが考えられる。「明日」を所望日時として設定した場合には、午前０時を閾値として、常に明日の天気予報データを取得するように構成しておけばよい。さらに、この閾値について言えば、先に説明した特定の日時を設定する日付指定の場合は、指定された日付の１週間前から天気予報データを取得するように構成し、また特定の曜日を設定する曜日指定の場合は、指定された曜日の午前０時を閾値として、設定操作日以降の初回の指定曜日の天気予報データを取得するように構成しておけばよい。
【００２２】
なお、本発明の実施例では、先に説明したように、複数の放送チャンネルのＥＰＧデータから取得した最新の天気予報データの内容が相互に異なる場合は、それら複数の異なる天気予報データのなかで多数を占める天気予報データを天気予報データとして取得するようにデフォルト設定されている。しかし、長男は、どこか１局でも「雪」の天気予報データがあれば、他の４局がすべて「雨」であっても、「雪」を優先して表示させたいと考えている。長男のこのような希望に応えるために、本実施例では、複数の異なる天気予報データのなかにユーザー所望の天気予報データの内容が１つでもあれば、それを優先的に表示させることができるようにしてある。なお、優先表示の方法としては、上記の天気予報データの内容によって優先表示させる方法のほか、その変形として、複数の放送チャンネルのうち、ユーザーが指定する特定の放送チャンネルの天気予報データを優先的に表示させる方法も考えられる。
【００２３】
図５の地域設定画面２３０において、先に全期間について所望地域を「札幌」と設定した長男は、続いて、優先天気を設定するかと問われるので、ここで長男は「雪」を指定して、日時／地域条件の設定を終了する。この優先天気の設定により、どこか１局でも「雪」の天気予報データがあれば、他の４局がすべて「雨」であっても、「雪」を優先して表示させることができる。
【００２４】
以上により、夫、妻、長男の３人は、それぞれの行動スケジュールに基づいて、所望日時と所望地域からなる天気予報データ条件の設定をすべて終了した。以下、これらの設定条件に従って、図６乃至９を参照して、本発明によるディジタル放送受信装置１による天気予報データの取得および表示の動作を説明する。図６は、ディジタル放送受信装置１が天気予報データを取得する工程を説明するためのフローチャートである。図７は、ディジタル放送受信装置１が天気予報データをユーザーに表示する工程を説明するためのフローチャートである。図８は、お天気アイコンが表示された表示部７０の表示画面を示す図である。図９は、詳細天気予報データが表示された表示部７０の表示画面を示す図である。
【００２５】
以下、図６のフローチャートに従って、ディジタル放送受信装置１が天気予報データを取得する工程を説明する。主電源がＯＦＦの場合（ステップＳ１のＮ）か、もしくは主電源がＯＮ（ステップＳ１のＹ）のときにダイレクトキーが押下げられると（ステップＳ２のＹ）、ステップＳ３で、お天気アイコンは設定済みか否かが問われる。本事例では、既に、夫は太陽のマーク２１１、妻は星のマーク２１２、長男は三日月のマーク２１３をそれぞれ設定済みなので（ステップＳ３のＹ）、ステップＳ４に進み、ディジタル放送受信装置１は、上記それぞれのお天気アイコンで設定された日時／地域などの天気予報データ条件に対応する更新すべき新しい天気予報データがＥＰＧデータのなかにあるか否かが問われる。更新すべき天気予報データがない場合は（ステップＳ４のＮ）、ステップＳ１に戻る。一方、更新すべき天気予報データがある場合は（ステップＳ４のＹ）、次のステップＳ５で、以前に取得した天気予報データがメモリ５０に蓄積されているか否かが問われる。天気予報データ条件を設定した直後の１回目の天気予報データ取得ステップにおいては、メモリ５０に蓄積されている天気予報データは存在しないので（ステップＳ５のＮ）、ステップＳ７で先のステップＳ４で取得した天気予報データをメモリ５０に蓄積する。
【００２６】
その後、ステップＳ１に戻り、同じフローチャートを反復するが、その過程で更新すべき新たな天気予報データがあった場合（ステップＳ４のＹ）、次のステップＳ５で、今回は先にメモリ５０に蓄積した天気予報データがあるので（ステップＳ５のＹ）、ステップＳ６に進み、新しい天気予報データへの更新が行われ、その更新された天気予報データがメモリ５０に蓄積される（ステップＳ７）。以上のステップにより、主電源がＯＦＦの間、あるいは主電源がＯＮであってユーザーがダイレクトキーを押下げたときに、ディジタル放送受信装置１は、設定済みの天気予報データ条件に対応する天気予報データを取得し、新たな天気予報データを取得した場合には、メモリ５０に蓄積される天気予報データを更新するようにされている。なお、以上の本実施例においては、主電源がＯＮの場合には、ユーザーがダイレクトキーを押下げたときに、更新すべき新しい天気予報データを取得する構成で説明したが、主電源のＯＮ／ＯＦＦにかかわらず、更新すべき新しい天気予報データを常に取得するような構成にしても一向に差し支えない。
【００２７】
次に、以上で説明したメモリ５０に蓄積されている天気予報データを、表示部７０の表示画面上でユーザーに表示する動作を、図７のフローチャートに従って説明する。ユーザーがディジタル放送受信装置１の主電源をＯＮにすると（ステップＳ１１のＹ）、ステップＳ１２で、更新された天気予報データがメモリ５０に蓄積されているかどうかが問われる。更新された天気予報データがメモリ５０に蓄積されていないときは（ステップＳ１２のＮ）、ステップＳ１１に戻り、同じステップを反復する。一方、更新された天気予報データがメモリ５０に蓄積されているときは（ステップＳ１２のＹ）、ステップＳ１３に進み、マイコン３０が当該天気予報データをメモリ５０から天気予報データ表示処理部６０に送信し、さらに天気予報データ表示処理部６０が表示に必要な天気予報データを映像表示処理部２０から表示部７０に送信することにより、図８の表示部７０の表示画面右下部に示すように、例えば夫のお天気アイコンである太陽のマーク２１１が表示される。このようにお天気アイコンが表示部７０の表示画面上に表示されることにより、表示されたお天気アイコンに対応するユーザーは、先に自分が設定した日時／地域などの天気予報データ条件に対応する更新された天気予報データが存在することを知ることができる。このお天気アイコンの表示画面上への表示に際しては、当該お天気アイコンを点滅表示させることなどにより、ユーザーに気づきやすくさせることができる。
【００２８】
夫は、表示部７０の表示画面上に自分のお天気アイコンである太陽のマーク２１１が表示されているので、先に自分が設定した１２月１３日（水）の大阪、１２月１４日（木）の名古屋、１２月１５日（金）の東京について、天気予報データが更新されたことが分かる。夫は、その詳細天気予報データを見るために、自分のお天気アイコンである太陽のマーク２１１に対応するリモコン８０のＸキー８１（ダイレクトキー）を押下げると（ステップＳ１４のＹ）、表示部７０の表示画面に、図９に示すように、先に設定した日時／地域などの天気予報データ条件に対応する詳細天気予報データが表示される（ステップＳ１５）。なお、妻と長男についても、上記の夫の場合と同様の方法で天気予報データが表示されるが、ここでは繰返しになるので、これ以上の説明は割愛する。
【００２９】
本実施例においては、地域設定画面２３０で大阪、名古屋、東京、札幌など都市名を入力することで説明してきたが、特定のスキー場やゴルフ場の名称を地域設定画面２３０で入力することも当然可能である。その場合には、図９で表示部７０の表示画面上に表示される詳細天気予報データの記載内容についても、指定された特定のスキー場の積雪情報などさらに詳細な天気予報データを付加して提供できることを付言しておく。
【００３０】
以上、本発明の実施例について詳述したが、本発明は上述の実施例に限定されるものではなく、本発明の要旨の範囲内で種々の変形実施が可能である。
【図面の簡単な説明】
【００３１】
【図１】本発明のディジタル放送受信装置１の構成を示すブロック図である。
【図２】本実施例において、ユーザー所望の天気予報データを表示させるための天気予報データ条件設定メニュー画面２００を示す図である。
【図３】本実施例を説明するお天気アイコン設定画面２１０を示す図である。
【図４】本実施例を説明する日時設定画面２２０を示す図である。
【図５】本実施例を説明する地域設定画面２３０を示す図である。
【図６】ディジタル放送受信装置１が天気予報データを取得する工程を説明するためのフローチャートである。
【図７】ディジタル放送受信装置１が天気予報データをユーザーに表示する工程を説明するためのフローチャートである。
【図８】お天気アイコンが表示された表示部７０の表示画面を示す図である。
【図９】詳細天気予報データが表示された表示部７０の表示画面を示す図である。
【符号の説明】
【００３２】
１    ディジタル放送受信装置
２０  映像表示処理部
３０  マイコン
４０  天気予報データ条件設定部
５０  メモリ
６０  天気予報データ表示処理部
７０  表示部
８０  リモコン
８１、８２、８３  ダイレクトキー
２１１、２１２、２１３  お天気アイコン
【図１】
2008167156.tif 000003
【図２】
2008167156.tif 000004
【図３】
2008167156.tif 000005
【図４】
2008167156.tif 000006
【図５】
2008167156.tif 000007
【図６】
2008167156.tif 000008
【図７】
2008167156.tif 000009
【図８】
2008167156.tif 000010
【図９】
2008167156.tif 000011